(57)【要約】      （修正有）【課題】従来のどスタンディングパウチのように自立させる為にフィルムの厚さが必要で尚且つ製造工程も多く、移し替える手間のない、コストのかからないスタンドホルダー付小分け容器を提供する。【解決手段】３方端をシールしたフィルム容器１と、フィルム容器を装着して起立保持するスタンドホルダー２とでなり、スタンドホルダーは、本体２０が暗渠体で、暗渠体天面下にフィルム容器を吊下げるフック３が設けられ、上端側部に上記フィルム容器の注ぎ口部分１０を包む膨み部２２を形成し、注ぎ口部分先端部１１が挿着されるスリット溝２３を設け、フィルム容器には、スタンドホルダーのフックに吊下げる穴１２を上方端シール部１３に設け、スタンドホルダーの膨み部で包まれる凸部注ぎ口部分を側方端シール部１４の上部に形成し、スリット溝に挿着される注ぎ口部分の凸部の先端部に切欠き開口する注ぎ部分１１１を形成した。【選択図】図１
2013154954.tif 000002
【特許請求の範囲】
【請求項１】
フィルムが折曲げて形成される３方端をシールしたフィルム容器と、該フィルム容器を装着して起立保持する硬質のスタンドホルダーとでなり、該スタンドホルダーは、本体が暗渠体で、該暗渠天面下に上記フィルム容器を吊下げるフックが設けられ、上端側部に上記フィルム容器の注ぎ口部分が被包される膨み部を形成すると共に、注ぎ口部分先端部が挿着されるスリット溝を設け、フィルム容器には、上記スタンドホルダーのフックに吊下げる為の穴を上方端シール部に設け、上記スタンドホルダーの膨み部で被包される凸部注ぎ口部分を側方端シール部の上部に形成すると共に、膨み部のスリット溝に挿着される注ぎ口部分の凸部の先端部に切欠き開口する注ぎ部分が形成されることを特徴とするスタンドホルダー付小分け容器
【請求項２】
スタンドホルダーが、筒体の本体と、天面に被冠するキャップとでなり、該キャップには、下面にフィルム容器を吊下げるフックが形成され、筒体の本体には、上端側部に上記フィルム容器の注ぎ口部分が被包される膨み部を形成すると共に、注ぎ口部分先端部を挿着するスリット溝が設けられることを特徴とする請求項１記載のスタンドホルダー付小分け容器。
【発明の詳細な説明】
【技術分野】
【０００１】本発明は、酢、醤油等液体調味料の卓上用スタンドホルダー付小分け容器に関するものである。
【背景技術】
【０００２】従来の酢、醤油等の詰め替え小分け容器は、５００ｍｍ及び１ｌのボトルから詰め替える陶器、プラスチック製詰め替え容器で、卓上用に内容物を小分けできる容器である。【０００３】該詰め替え小分け容器は、使用中に洗浄しなければ汚れが目立ち、衛生面でも問題を生じる。
尚醤油の場合には長時間入れておくと固まり、洗浄も苦労する。【０００４】また、従来のペットボトルは薄手の容器ではあるが、フイルムほどに薄く出来ない為、重量軽減に限界がある。【０００５】また、従来、パウチと称しているフィルム容器もあるが、殆どがスタンディングパウチであって、シャンプー等のパウチ容器は、ポンプ式の小分け容器に詰め替えらえている。
そしてまた、醤油等の小分け容器で、特殊な薄いフィルムが逆止弁の役割を果たす注ぎ口部分を使用したパウチ容器もある。
【先行技術文献】
【特許文献】
【０００６】
【特許文献１】特許出願２００９−２７７２６８
【発明の概要】
【発明が解決しようとする課題】
【０００７】従来のパウチと称しているフィルム容器が、殆どスタンディングパウチであって、主にシャンプーのポンプ式の小分け容器に詰め替えており、該スタンディングパウチを自立させる為に、フィルムの厚さが必要で、尚且つ製造工程も多い。
そして、消費者は移し替える手間も生じることになる。【０００８】従来の調味料の小分け容器は、直接内容物を移動す為に、容器内面が汚れ、細菌等を付着し、衛生管理を必要とし、洗剤、水道、手間等コストがかかる。【０００９】そして、パウチと称するフィルム容器の欠点は押圧されると、内容物がこぼれ、子供、老人には扱いが困難である。
注ぎ口部分は軟質で注出に安定性がない上に、キャップ付きはコストアップである。
【課題を解決するための手段】
【００１０】本発明のスタンドホルダー付小分け容器は、フィルムが折曲げて形成される３方端をシールしたフィルム容器と、該フィルム容器を装着して起立保持する硬質のスタンドホルダーとでなり、該スタンドホルダーは、本体が暗渠体で、該暗渠体天面下に上記フィルム容器を吊下げるフックが設けられ、上端側部に上記フィルム容器の注ぎ口部分が被包される膨み部を形成すると共に、注ぎ口部分先端部が挿着されるスリット溝を設け、フィルム容器には、上記スタンドホルダーのフックに吊下げる為の穴を上方端シール部に設け、上記スタンドホルダーの膨み部で被包される凸部注ぎ口部分を側方端シール部の上部に形成すると共に、膨み部のスリット溝に挿着される注ぎ口部分の凸部の先端部に切欠き開口する注ぎ部分が形成されるものである。【００１１】本発明のスタンドホルダー付小分け容器は、スタンドホルダーが、筒体の本体と、天面に被冠するキャップとでなり、該キャップには、下面にフィルム容器を吊下げるフックが形成され、筒体の本体には、上端側部に上記フィルム容器の注ぎ口部分が被包される膨み部を形成すると共に、注ぎ口部分先端部を挿着するスリット溝が設けられるものである。
【発明の効果】
【００１２】本発明のスタンドホルダー付小分け容器は、フィルムが折曲られて３方端をシールしたフィルム容器と、該フィルム容器を装着して起立保持する硬質のスタンドホルダーとでなるので、フィルム容器の３方端シールによる構成加工が単純で、製造工程が少なく、容易に量産出来、そして、一体成型された単純な構成である硬質のスタンドホルダーには、内部にフックをもって前記フィルム容器が吊下げられ、起立保持されるので、フィルム容器が押圧されて酢、醤油等液体調味料を注出されてしまうことなく、子供、老人でも取扱い易く、且つ、スタンドホルダーのフィルム容器の装着がフックによる吊下げであるので極めて容易に出来る。【００１３】フィルム容器には、凸部注ぎ口部分が側方端シール部の上方に形成されると共に、凸部の先端部に切欠き開口する注ぎ部分が形成され、スタンドホルダーには、フィルム容器の注ぎ口部分を被包する膨み部が形成されると共に、注ぎ口部分の先端部にある注ぎ口部分を挿着させるスリット溝が設けられるので、フィルム容器のスタンドホルダーへの装着が簡単且つ容易にでき、更に、フィルム容器の注ぎ口部分と、スタンドホルダーの膨み部との形状が、共に同位置、同形状に形成することによって、上下、左右共にフィルム容器を安定保持でき、注ぎ部分での安定した注出を可能にできる。
そして、フィルム容器の注ぎ口部分に、特殊な薄いフィルムを設けて逆止弁の役割が果たされるようにしなくともその機能を果たすことができ、スタンドホルダー付小分け容器を傾ければ、酢、醤油等の内容液が自重で注出されることになる。小分け容器を起立させれば、自動的に注ぎ部分が塞がれる。【００１４】本発明のスタンドホルダー付小分け容器は、スタンドホルダーが、筒体の本体と、天面に被冠するキャップとでなり、該キャップには下面にフィルム容器を吊下げるフックが形成されているので、該フックにフィルム容器が吊下げられたキャップをスタンドホルダーに装着すれば、スタンドホルダーへのフィルム容器を容易且つ簡単に装着することができる。
なお、キャップの周側面に段差部が形成され、該段差部部分をスタンドホルダーに装着することによって、スタンドホルダー付詰め替え小分け容器が傾けられても、キャップをずれ落させることがないようにできる
【図面の簡単な説明】
【００１５】
【図１】スタンドホルダー付詰め替え小分け容器の側面図である。
【図２】スタンドホルダー付詰め替え小分け容器の上面図である。
【図３】フィルム容器の側面図である。
【図４】キャップを設けたスタンドホルダーの縦断面図である。
【図５】キャップを外したスタンドホルダーの上面図である。
【図６】キャップにフィルム容器を吊下げ、スタンドホルダーに装着する状態図である。
【発明を実施するための形態】
【００１６】本発明のスタンドホルダー付小分け容器は、フィルムが折曲げて形成される３方端をシールしたフィルム容器１と、該フィルム容器を装着して起立保持する硬質のスタンドホルダー２とでなる。
スタンドホルダー２は、本体２０が暗渠体で、該暗渠体天面２１にフィルム容器１を吊下げるフック３が設けられ、上端側部にフィルム容器１の注ぎ口部分１０が被包される膨み部２２を形成すると共に、注ぎ口部分１０先端１１が挿着されるスリット溝２３を設け、フィルム容器１には、スタンドホルダー２のフック３に吊下げる為の穴１２を上方端シール部１３に設け、スタンドホルダー２の膨み部２２で被包される凸部注ぎ口部分１０を側方端シール部１４の上部に形成すると共に、膨み部２２のスリット溝２３に挿着される注ぎ口部分１０の凸部の先端部１１に切欠き開口する注ぎ部分１１１が形成される。
【００１７】  フィルム容器１は、フィルムを折曲げ、その折曲げられた３方端シールされて上方端シール１３、側方端シール１４、及び下方端シール部１５を形成することによって、酢、醤油等の液体調味料が充填されることによって膨む。
フィルム容器１は、上方端シール部１３に設けた穴１２をもってスタンドホルダー２の暗渠体２１に設けられたフック３へ吊下げることによって、スタンドホルダー２に起立保持させることができると共に、フィルム容器１の注ぎ口部分１０がスタンドホルダー２の膨み部２２に被包される状態になり、注ぎ口部分１０の先端部１１が膨み部２２のスリット溝２３に挿着されることになる。
フィルム容器１は、注ぎ口部分１０の先端部１１を切欠くことによって注ぎ部分１１１が開口され、フィルムで構成されているので、スタンドホルダー付小分け容器を傾ければ、酢、醤油等液体調味料は自重で注出することができ、操作が解除されると、注ぎ口部分１０はフィルムで形成されているので、貼付いて閉口されることになる。
【実施例１】
【００１８】  本発明のスタンドホルダー付小分け容器は、フィルム容器１とスタンドホルダー２とでなっている。
スタンドホルダー２は、図４図５に示す如く、筒体の本体２０と天面に被冠するキャップ２１０をでなり、該キャップには、下面にフィルム容器１を吊下げるフック３が形成され、上面につまみ２１１が設けられ、そして、側周下部に筒体の本体２０の上部へ嵌合する段差部２１２が形成されている。
筒体本体２０には、上端側部にフィルム容器１の注ぎ口部分１０が被包される膨み２２を形成すると共に、注ぎ口部分１０の先端部１１を挿着するスリット溝２３が設けられている。【００１９】  そこで、スタンドホルダー付小分け容器の組付けを図６によって説明する。
フィルムが折曲げて形成される３方端をシールしたフィルム１は、その上方端シール部１３に設けた穴１２によってキャップ２１０のフック３に吊下げる。
フィルム容器１が吊げられたキャップ２１０をキャップ２１０の段差部２１２がスタンドホルダー２の筒体の本体２０の上部に篏合されて装着する。
フィルム容器１の注ぎ口部分１０は、スタンドホルダー２の筒体の本体２０の膨み部２２で被包され、注ぎ口部分の先端部１１が膨み部２２のスリット溝２３に挿着される。
注ぎ口部分１０の先端部１１を切欠くことによって、注ぎ部分１１１を開口し、フィルム容器１の注ぎ口部分もフィルムで形成されているので、スタンドホルダー付小分け容器を傾ければ、酢、醤油等の内容物の自重で、注ぎ部分１１１が開口されて注出し、元に戻せば、注ぎ部分１１１は閉口されて、フィルム１内へ入る空気を遮断することになる。
【符号の説明】
【００２０】１      フィルム容器
１０    注ぎ口部分
１１    先端部
１１１  注ぎ部分
１２    穴
１３    上方端シール部
１４    側方端シール部
１５    下方端シール部
２      スタンドホルダー
２０    本体
２１    天部
２１０  キャップ
２１１  つまみ
２１２  段差部
２２    膨み部
２３    スリット溝
３      フック
【図１】
2013154954.tif 000003
【図２】
2013154954.tif 000004
【図３】
2013154954.tif 000005
【図４】
2013154954.tif 000006
【図５】
2013154954.tif 000007
【図６】
2013154954.tif 000008